【手続補正書】
【提出日】平成17年9月16日(2005.9.16)
【手続補正１】
【補正対象書類名】明細書
【補正対象項目名】全文
【補正方法】変更
【補正の内容】
【書類名】            明細書
【発明の名称】        液晶表示装置
【特許請求の範囲】
【請求項１】  表示器を有する制御装置に接続された液晶表示装置において、液晶表示装置は、液晶表示装置の内部状態を表すデータを制御装置に出力する手段、および、出力した液晶表示装置の内部状態を表すデータに基づいて、必要に応じて液晶表示装置の内部状態を表示器に表示させる手段を備えていることを特徴とする液晶表示装置。
【請求項２】  液晶表示装置と制御装置とは、ＲＳ２３２Ｃケーブルで接続されていることを特徴とする請求項１に記載の液晶表示装置。
【発明の詳細な説明】
【０００１】
【発明の属する技術分野】
この発明は、制御装置により制御される液晶プロジェクタ等の液晶表示装置に関する。
【０００２】
【従来の技術】
図３に示すように、パソコン１０と液晶プロジェクタ２０とを用いたプレゼンテーションシステムが既に開発されている。パソコン１０には、プレゼンテーション用画像が格納されており、パソコン１０からＲＧＢケーブル４１を介して、プレゼンテーション用画像が液晶プロジェクタ２０に送られる。また、パソコン１０側で液晶プロジェ
クタ２０を制御するために、パソコン１０と液晶プロジェクタ２０とはＲＳ２３２Ｃケーブル４２で接続されている。
【０００３】
パソコン１０から液晶プロジェクタ２０にＲＧＢケーブル４１を介して送られてきたアナログの映像信号は、ＡＤ変換部２１によってデジタルの映像データに変換される。
【０００４】
ＡＤ変換部２１によって得られた映像データは、走査線変換部２２に送られ、液晶プロジェクタ２０の液晶パネル２６、２７、２８に適合するように走査線変換が行なわれる。走査線変換部２２によって得られた映像データは、ＭＩＸ回路２３に送られ、ＯＳＤコントローラ３１によって生成されたＯＳＤ画像データが合成される。
【０００５】
ＭＩＸ回路２３から出力される映像データは、ＤＡ変換部２４によってアナログの映像信号に変換された後、サンプル＆ホールド回路２５を介して、ＲＧＢそれぞれの液晶パネル２６、２７、２８に送られる。
【０００６】
液晶プロジェクタ２０内の各部は、ＣＰＵ３０によって制御される。ＣＰＵ３０には、リモコン送信機（図示略）からのリモコン信号を受信するためのリモコン受光部３２が接続されている。
【０００７】
液晶プロジェクタ２０をパソコン１０から制御する場合には、ＲＳ２３２Ｃケーブル４２を介してパソコン１０から液晶プロジェクタ２０に対してコマンドを送信する。パソコン１０からの制御コマンドは、ＲＳ２３２Ｃケーブル４２のＴｘＤを使用して、液晶プロジェクタ２０のＣＰＵ３０に送信される。制御コマンドとしては、例えば、”ＰｏｗｅｒＯＮ”、”ＭｅｎｕＯＮ”、”ＶｏｌｕｍｅＵｐ”等がある。
【０００８】
この制御コマンドを液晶プロジェクタ２０のＣＰＵ３０が受信すると、ＣＰＵ３０はＲＳ２３２Ｃケーブル４２のＲｘｄを使用して、パソコン１０に対して受信確認のコマンドのみを送信する。この後、ＣＰＵ３０は各周辺デバイスに対して、制御ラインを使用して、実際にデバイスへの調整値の変更や、ＯＳＤコントローラ３１へＯＳＤの表示制御を行う。このため、パソコン１０では、現在液晶プロジェクタ２０がどのような状態にあるかを把握することができない。
【０００９】
例えば、液晶プロジェクタ２０のＶｏｌｕｍｅを上げたい場合には、パソコン１０からＶｏｌｕｍｅを上げるためのコマンド（Ｖｏｌｕｍｅ＋コマンド）を送信することによって、ＣＰＵ３０がＶｏｌｕｍｅを上げる制御を行う。しかしながら、液晶プロジェクタ２０の電源オン時におけるＶｏｌｕｍｅの初期値としては、前回電源オフ時の値が使用されているため、パソコン１０からＶｏｌｕｍｅを上げるためのコマンドを送信した場合に、液晶プロジェクタのＶｏｌｕｍｅの値がいくらになったかは、パソコン１０側では認識できない。
【００１０】
【発明が解決しようとする課題】
従来においては、液晶プロジェクタ２０のリモコンからの入力、液晶プロジェクタ２０の本体キースイッチからの入力、液晶プロジェクタ２０内の自動温度以上検出回路の出力等のように、液晶プロジェクタ２０がパソコン１０以外から動作始動信号を受けて動作を行った場合には、パソコン１０ではその動作結果としての液晶プロジェクタ２０の内部状態のデータを得ることができない。
【００１１】
また、液晶プロジェクタの内部状態の設定内容は、上述したように、前回の電源オフ時に保存されている場合が多く、このようなデータに関してもパソコン１０が認識することができない。
【００１２】
このため、パソコン１０上で液晶プロジェクタ２０の内部状態を表示させながら、液晶プロジェクタ２０の制御をユーザに行なわすような、操作性の優れた液晶プロジェクタ制御用ソフトを作成することは困難であった。
【００１３】
この発明は、制御装置にケーブルを介して接続される液晶表示装置であって、液晶表示装置の内部状態を常に正確に把握でき、液晶表示装置の内部状態を必要に応じて表示できるようになる液晶表示装置を提供することを目的とする。
【００１４】
【課題を解決するための手段】
この発明による制御装置は、表示器を有する制御装置に接続された液晶表示装置において、液晶表示装置は、液晶表示装置の内部状態を表すデータを制御装置に出力する手段、および、出力した液晶表示装置の内部状態を表すデータに基づいて、必要に応じて液晶表示装置の内部状態を表示器に表示させる手段を備えていることを特徴とする。
【００１５】
液晶表示装置と、制御装置とは、たとえば、ＲＳ２３２Ｃケーブルで接続される。
【００１６】
【発明の実施の形態】
以下、図１および図２を参照して、この発明の実施の形態について、説明する。
【００１７】
図１は、プレゼンテーションシステム（表示システム）の構成を示している。
【００１８】
プレゼンテーションシステムは、パソコン（ＰＣ）１０と液晶プロジェクタ２０とを備えている。パソコン１０と液晶プロジェクタ２０とは、ＲＧＢケーブル４１によって接続されているとともに、ＲＳ２３２Ｃケーブル４２によって接続されている。
【００１９】
図２は、主として液晶プロジェクタ２０の内部構成を示している。図２において、図３と同じものには、同じ符号を付して、その説明を省略する。
【００２０】
パソコン１０から、プレゼンテーション用画像（アナログＲＧＢ信号）とＨＶ同期信号とが、ＲＧＢケーブル４１を介して液晶プロジェクタ２０に送られてくる。
【００２１】
パソコン１０と液晶プロジェクタ２０のＣＰＵ３０とは、ＲＳ２３２Ｃケーブル４２のＴｘＤ、ＲｘＤ、ＲＴＳ、ＣＴＳの各信号線で接続されている。パソコン１０には、液晶プロジェクタ２０を制御するためのプロジェクタ制御用ソフトがインストールされている。このプロジェクタ制御用ソフトを起動することにより、液晶プロジェクタ２
０の制御及び各画質調整を行う。
【００２２】
このプロジェクタ制御用ソフトによって生成された画面はパソコン１０のモニタ上で表示されているが、液晶プロジェクタ２０にもＲＧＢケーブルを介して接続されているため、プロジェクタ制御用ソフトによって生成された画面をＯＳＤ画像として液晶プロジェクタ２０に提供することが可能である。このため、この例では、液晶プロジェクタ２０には、ＯＳＤコントローラおよびＭＩＸ回路は設けられていない。
【００２３】
〔１〕  プロジェクタ制御用ソフトが起動された場合の動作の説明
液晶プロジェクタ２０の主電源がＯＮの状態で、パソコン１０上のプロジェクタ制御用ソフトが起動すると、パソコン１０は信号線ＲＴＳを使用して送信要求信号を送る。
【００２４】
ＣＰＵ３０は、送信要求信号を受信すると、信号線ＲｘＤを使用したデータ送信を行なっていなければ、信号線ＣＴＳを使用して送信許可信号を送信する。
【００２５】
パソコン１０は、ＣＰＵ３０からの送信許可信号を受信すると、信号線ＴｘＤを使用して、液晶プロジェクタ２０の所定の内部状態を表すデータをパソコン１０に送信させるためのコマンドをＣＰＵ３０に送信する。
【００２６】
ＣＰＵ３０はこのコマンドを受信すると、パソコン１０によって要求されている所定の情報を信号線ＲｘＤを使用してパソコン１０に送信する。このような通信を、液晶プロジェクタ２０の全ての内部データに対して行うことにより、パソコン１０は液晶プロジェクタ２０の現在の内部状態を認識することができる。
【００２７】
液晶プロジェクタ２０の内部状態としては、たとえば、ブライトネス、コントラスト、ホワイトバランス調整、γ特性等がある。
【００２８】
〔２〕  液晶プロジェクタ２０の内部データが変更されたときの動作の説明
また、液晶プロジェクタ２０の内部のデータが変更されたとき、例えば、液晶プロジェクタ２０の温度が急激に上昇し、自動的に電源がＯＦＦされたときなどは、ＣＰＵ３０は、”温度異常”の情報をパソコンに対して送信する。
【００２９】
また、液晶プロジェクタ２０のリモコンまたは本体キースイッチからの入力信号に基づいて、液晶プロジェクタ２０が制御された場合には、ＣＰＵ３０は、この制御内容をＲＳ２３２Ｃケーブル４２を介して、パソコン１０へ送信する。
【００３０】
上記〔１〕、〔２〕により、パソコン１０は、液晶プロジェクタ２０の内部の状態を把握することが可能である。これにより、パソコン１０上で、液晶プロジェクタ制御用ソフトを作成するにあたって、液晶プロジェクタ２０の内部状態を視覚的に表現することが可能となり、より操作性が向上する。
【００３１】
例えば、液晶プロジェクタ２０の現在のＶｏｌｕｍｅの値をバー表示したり、γ特性の値を実際にパソコン１０上で現在の値を表示しつつ、γ曲線をパソコン１０上で表示したりすることなどが可能である。
【００３２】
【発明の効果】
この発明によれば、液晶表示装置の内部状態を常に正確に把握でき、必要に応じて液晶表示装置の内部状態を表示できるようになる。
【図面の簡単な説明】
【図１】
プレゼンテーションシステムの構成を示す模式図である。
【図２】
主として、液晶プロジェクタの内部構成を示すブロック図である。
【図３】
従来例を示すブロック図である。
【符号の説明】
１０  パソコン
２０  液晶プロジェクタ
３０  ＣＰＵ
４１  ＲＧＢケーブル
４２  ＲＳ２３２Ｃケーブル